【手続補正書】
【提出日】平成24年10月29日(2012.10.29)
【手続補正１】
【補正対象書類名】特許請求の範囲
【補正対象項目名】全文
【補正方法】変更
【補正の内容】
【特許請求の範囲】
【請求項１】
色材を含有するインクを記録媒体の単位領域に吐出するインク吐出部と、前記色材を凝集または不溶化するための処理液を吐出する処理液吐出部と、を用いて記録を行うための記録制御装置であって、
前記インク吐出部から吐出されるインク滴の体積の変化に関する情報を取得する取得手段と、
前記取得手段により取得された前記情報に基づいて、前記単位領域に前記処理液吐出部から吐出する前記処理液の量を決定する決定手段と、
を有し、
前記決定手段は、前記インク滴の体積が所定の体積より大きい場合の前記処理液の量が、前記インク滴の体積が前記所定の体積である場合の前記処理液の吐出量より小さくなるように前記処理液の量を決定する、ことを特徴とする記録制御装置。
【請求項２】
前記インク吐出部には前記インク吐出部の温度を検知するためのセンサが設けられていて、前記情報は前記センサが検知した温度を示し、前記決定手段は、前記温度が所定の温度より高い場合の前記処理液の量が、前記温度が所定の温度である場合の前記処理液の吐出量より小さくなるように前記処理液の量を決定することを特徴とする請求項１に記載の記録制御装置。
【請求項３】
前記情報は所定領域に前記インク吐出部から吐出されるインクの量に関するものであり、前記決定手段は、前記情報が示す前記インクの量が所定の量より大きい場合の前記処理液の量が、前記情報が示す前記インクの量が所定の量である場合の前記処理液の量より小さくなるように前記処理液の量を決定することを特徴とする請求項１に記載の記録制御装置。
【請求項４】
前記決定手段は、前記インク滴の体積が前記所定の体積より大きい場合に前記処理液吐出部の一つの吐出口から１回の吐出で前記単位領域に吐出される前記処理液の吐出量が、前記インク滴の体積が前記所定の体積である場合に前記処理液吐出部の一つの吐出口から１回の吐出で前記単位領域に吐出される前記処理液の吐出量より小さくなるように前記処理液の量を決定することを特徴とする請求項１から３のいずれかに記載の記録制御装置。
【請求項５】
前記決定手段は、前記インク滴の体積が前記所定の体積より大きい場合の前記単位領域に吐出される前記処理液の滴数が、前記インク滴の体積が前記所定の体積である場合の前記処理液の滴数より小さくなるように前記処理液の量を決定することを特徴とする請求項１から３のいずれかに記載の記録制御装置。
【請求項６】
前記決定手段は、前記インク滴の体積が前記所定の体積より大きい場合の前記単位領域における１滴のインク滴あたりの前記処理吐出量が、前記インク滴の体積が前記所定の体積より大きい場合の前記単位領域における１滴のインク滴あたりの吐出量より小さくなるように前記処理液の量を決定することを特徴とする請求項１から５のいずれかに記載の記録制御装置。
【請求項７】
前記インク吐出部は、通電されることによって電気熱変換体から発生する熱を利用してインクの吐出を行うことを特徴とする請求項１から６のいずれかに記載の記録制御装置。
【請求項８】
色材を含有するインクを記録媒体の単位領域に吐出するインク吐出部と、前記色材を凝集または不溶化するための処理液を吐出する処理液吐出部と、を用いて記録を行うための記録制御方法であって、
前記インク吐出部から吐出されるインク滴の体積の変化に関する情報を取得する取得工程と、
前記取得工程により取得された前記情報に基づいて、前記単位領域に前記処理液吐出部から吐出する前記処理液の量を決定する決定工程と、
を含み、
前記決定工程は、前記インク滴の体積が所定の体積より大きい場合の前記処理液の量が、前記インク滴の体積が前記所定の体積である場合の前記処理液の吐出量より小さくなるように前記処理液の量を決定する、ことを特徴とする記録制御方法。
【請求項９】
前記情報は前記インク吐出部の温度を示し、前記決定工程は、前記温度が所定の温度より高い場合の前記処理液の量が、前記温度が所定の温度である場合の前記処理液の吐出量より小さくなるように前記処理液の量を決定することを特徴とする請求項８に記載の記録制御方法。
【請求項１０】
前記情報は所定領域に前記インク吐出部から吐出されるインクの量に関するものであり、前記決定工程は、前記情報が示す前記インクの量が所定の量より大きい場合の前記処理液の量が、前記情報が示す前記インクの量が所定の量である場合の前記処理液の量より小さくなるように前記処理液の量を決定することを特徴とする請求項８に記載の記録制御方法。
【請求項１１】
前記決定工程は、前記インク滴の体積が前記所定の体積より大きい場合に前記処理液吐出部の一つの吐出口から１回の吐出で前記単位領域に吐出される前記処理液の吐出量が、前記インク滴の体積が前記所定の体積である場合に前記処理液吐出部の一つの吐出口から１回の吐出で前記単位領域に吐出される前記処理液の吐出量より小さくなるように前記処理液の量を決定することを特徴とする請求項８から１０のいずれかに記載の記録制御方法。
【請求項１２】
前記決定工程は、前記インク滴の体積が前記所定の体積より大きい場合の前記単位領域に吐出される前記処理液の滴数が、前記インク滴の体積が前記所定の体積である場合の前記処理液の滴数より小さくなるように前記処理液の量を決定することを特徴とする請求項８から１０のいずれかに記載の記録制御方法。
【請求項１３】
前記決定工程は、前記インク滴の体積が前記所定の体積より大きい場合の前記単位領域における１滴のインク滴あたりの前記処理吐出量が、前記インク滴の体積が前記所定の体積より大きい場合の前記単位領域における１滴のインク滴あたりの吐出量より小さくなるように前記処理液の量を決定することを特徴とする請求項８から１２のいずれかに記載の記録制御方法。
【請求項１４】
前記インク吐出部は、通電されることによって電気熱変換体から発生する熱を利用してインクの吐出を行うことを特徴とする請求項８から１３のいずれかに記載の記録制御方法。
【手続補正２】
【補正対象書類名】明細書
【補正対象項目名】発明の名称
【補正方法】変更
【補正の内容】
【発明の名称】記録制御装置および記録制御方法
【手続補正３】
【補正対象書類名】明細書
【補正対象項目名】０００１
【補正方法】変更
【補正の内容】
【０００１】
本発明は、記録データに基づいてインクを吐出可能なインク吐出部と、インクのプリント性を向上させるための処理液を吐出可能な処理液吐出部と、を用いて記録を行う記録制御装置および記録制御方法に関するものである。
【手続補正４】
【補正対象書類名】明細書
【補正対象項目名】０００６
【補正方法】変更
【補正の内容】
【０００６】
本発明の目的は、インクと、そのインクのプリント性を向上させるため処理液と、を用いて画像を記録する場合に、インクの吐出量の変化に伴う記録画質の劣化を抑えることができる記録制御装置および記録制御方法を提供することにある。
【手続補正５】
【補正対象書類名】明細書
【補正対象項目名】０００７
【補正方法】変更
【補正の内容】
【０００７】
本発明の記録制御装置は、色材を含有するインクを記録媒体の単位領域に吐出するインク吐出部と、前記色材を凝集または不溶化するための処理液を吐出する処理液吐出部と、を用いて記録を行うための記録制御装置であって、前記インク吐出部から吐出されるインク滴の体積の変化に関する情報を取得する取得手段と、前記取得手段により取得された前記情報に基づいて、前記単位領域に前記処理液吐出部から吐出する前記処理液の量を決定する決定手段と、を有し、前記決定手段は、前記インク滴の体積が所定の体積より大きい場合の前記処理液の量が、前記インク滴の体積が前記所定の体積である場合の前記処理液の吐出量より小さくなるように前記処理液の量を決定する、ことを特徴とする。
【手続補正６】
【補正対象書類名】明細書
【補正対象項目名】０００８
【補正方法】変更
【補正の内容】
【０００８】
本発明の記録制御方法は、色材を含有するインクを記録媒体の単位領域に吐出するインク吐出部と、前記色材を凝集または不溶化するための処理液を吐出する処理液吐出部と、を用いて記録を行うための記録制御方法であって、前記インク吐出部から吐出されるインク滴の体積の変化に関する情報を取得する取得工程と、前記取得工程により取得された前記情報に基づいて、前記単位領域に前記処理液吐出部から吐出する前記処理液の量を決定する決定工程と、を含み、前記決定工程は、前記インク滴の体積が所定の体積より大きい場合の前記処理液の量が、前記インク滴の体積が前記所定の体積である場合の前記処理液の吐出量より小さくなるように前記処理液の量を決定する、ことを特徴とする。
【手続補正７】
【補正対象書類名】明細書
【補正対象項目名】０００９
【補正方法】変更
【補正の内容】
【０００９】
本発明によれば、インクの吐出量が増大した場合に処理液の吐出量を少なくして、インクを記録媒体内に沈み込みやすくすることができる。この結果、インク吐出部の温度上昇に伴ってインクの吐出量が増大しても、記録濃度の上昇を抑えることができる。